(57)【要約】【課題】十分な耐圧を確保し得るフィルタ素子を提供することを主目的とする。【解決手段】帯状絶縁体８ａ上に配設された接地用導電体９ａ，９ｂと帯状絶縁体８ｂ上に配設された信号用導電体１０ａ，１０ｂとを帯状絶縁体８ｂを介して重ねて構成した積層体１１における一端側の半分を中心部位（境界部位）Ａを中心として所定方向に巻回して筒状に形成したコイル部５と、積層体１１における他端側の半分を中心部位（境界部位）Ａを中心としてコイル部５とは逆方向に巻回して筒状に形成したコイル部６とを備えている。【選択図】図１
2007067982.tif 000002
【特許請求の範囲】
【請求項１】
帯状絶縁体上に配設された接地用帯状導電体と他の帯状絶縁体上に配設された信号用帯状導電体とを当該各帯状絶縁体のうちの一方を介して重ねて構成された積層体における一端側の半分を当該積層体における他端側の半分との境界部位を中心として所定方向に巻回して全体として筒状に形成された第１のコイル部と、
前記積層体における前記他端側の半分を前記境界部位を中心として前記所定方向とは逆方向に巻回して全体として筒状に形成された第２のコイル部とを備えているフィルタ素子。
【請求項２】
前記積層体は、第１の帯状絶縁体上に配設された第１の接地用帯状導電体と第２の帯状絶縁体上に配設された第１の信号用帯状導電体とを当該各帯状絶縁体のうちの一方を介して重ねて構成されて当該積層体における一端側の半分を形成する第１の積層体と、
第３の帯状絶縁体上に配設された第２の接地用帯状導電体と第４の帯状絶縁体上に配設された第２の信号用帯状導電体とを当該各帯状絶縁体のうちの一方を介して重ねて構成されて当該積層体における他端側の半分を形成する第２の積層体と、
前記第１の積層体および前記第２の積層体における前記各信号用帯状導電体同士および前記各接地用帯状導電体同士をそれぞれ接続する信号接続用導電体および接地接続用導電体とを備え、
前記第１の積層体および前記第２の積層体は、互いに平行でかつ長さ方向にずれた状態で当該第１の積層体における一の方向側の端部と当該第２の積層体における当該一の方向とは逆方向側の端部とが近接した状態に並設されている請求項１記載のフィルタ素子。
【請求項３】
前記各帯状絶縁体は、互いに平行な状態で並設された一対の副帯状絶縁体同士が一方の端部側において連結されて構成され、
前記信号用帯状導電体は、前記各帯状絶縁体のうちの一方の帯状絶縁体における前記一対の副帯状絶縁体上に配設され、
前記接地用帯状導電体は、前記各帯状絶縁体のうちの他方の帯状絶縁体における前記一対の副帯状絶縁体上に配設され、
前記一方の帯状絶縁体における前記一対の副帯状絶縁体の前記一方の端部側には、当該一対の副帯状絶縁体上に配設されている前記各信号用帯状導電体の一方の端部同士を接続する信号接続用導電体が配設され、
前記他方の帯状絶縁体における前記一対の副帯状絶縁体の前記一方の端部側には、当該一対の副帯状絶縁体上に配設されている前記各接地用帯状導電体の一方の端部同士を接続する接地接続用導電体が配設されている請求項１記載のフィルタ素子。
【発明の詳細な説明】
【技術分野】
【０００１】
本発明は、信号用帯状導電体と接地用帯状導電体とが帯状絶縁体を介して重ねて構成された積層体における一端側の半分を積層体における他端側の半分との境界部位を中心として所定方向に巻回して全体として筒状に形成された第１のコイル部と、積層体における他端側の半分を上記境界部位を中心として所定方向とは逆方向に巻回して全体として筒状に形成された第２のコイル部とを備えたフィルタ素子に関するものである。
【背景技術】
【０００２】
この種のフィルタ素子として、特許第３１２５１７９号公報において開示されたフィルタ素子が知られている。このフィルタ素子は、外縁が絶縁され、かつ断面が長方形状の絶縁平角導電線の複数枚を重ね合わせたものを渦巻き状に巻回して１層目のコイル体（第１のコイル部）および２層目のコイル体（第２のコイル部）を形成し、１層目のコイル体の最も中心側の絶縁平角導電線が２層目のコイル体（第２のコイル部）の最も中心側の絶縁平角導電線に繋がるようにして２層コイルとして構成されている。この場合、複数枚の絶縁平角導電線の少なくとも２本が通電導体（通常は、信号用導電体および接地用導電体）として使用される。このフィルタ素子では、２層コイルとして構成したことにより、一層当たりの巻回数を少なくしたとしても、インダクタンスとキャパシタンスとを十分に大きくすることができるため、良好なノイズ減衰効果を広い帯域で得ることが可能となっている。さらに、各層のコイル体における絶縁平角導電線の先端は最も外周から繰り出されるので、リード端子の取付けなどの作業を容易に行えるため、量産性を向上させることが可能となっている。さらに、１層目のコイル体と２層目のコイル体とを所定の間隔だけ離したことにより、１層目のコイル体と２層目のコイル体とが近接することに起因する不要なキャパシタンスを抑制できるため、一層広い周波数帯域でノイズを効果的に減衰させることが可能となっている。
【特許文献１】特許第３１２５１７９号公報（第３−４頁、第１図）
【発明の開示】
【発明が解決しようとする課題】
【０００３】
しかしながら、上記の従来のフィルタ素子には、次のような課題が存在する。すなわち、このフィルタ素子では、外縁（表面）が絶縁され、かつ断面形状が長方形状の絶縁平角導電線を使用している。この場合、通常、絶縁平角導電線は、塗布された絶縁樹脂（ポリウレタン、ポリエステル、ポリエステルイミド、ポリアミドイミドなど）によって表面に形成された絶縁被膜により、外縁が絶縁されている。しかしながら、一般的に、絶縁被膜の膜厚は０．００４ｍｍ〜０．０３ｍｍ程度と薄いため、用途によっては、十分な耐圧を確保することができないという課題が存在する。特に、このフィルタ素子では、２つのコイル体（コイル部）が内周側において接続され、かつ絶縁平角導電線の各先端部が共に各コイル体の外周側から引き出される構造のため、各コイル体の外周側同士間の電位差が最も大きくなる結果、各コイル体間の耐圧が外周側において不足することになる。
【０００４】
本発明は、上記の課題を解決すべくなされたものであり、十分な耐圧を確保し得るフィルタ素子を提供することを主目的とする。
【課題を解決するための手段】
【０００５】
上記目的を達成すべく請求項１記載のフィルタ素子は、帯状絶縁体上に配設された接地用帯状導電体と他の帯状絶縁体上に配設された信号用帯状導電体とを当該各帯状絶縁体のうちの一方を介して重ねて構成された積層体における一端側の半分を当該積層体における他端側の半分との境界部位を中心として所定方向に巻回して全体として筒状に形成された第１のコイル部と、前記積層体における前記他端側の半分を前記境界部位を中心として前記所定方向とは逆方向に巻回して全体として筒状に形成された第２のコイル部とを備えている。ここで、本明細書における「帯状導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。
【０００６】
また、請求項２記載のフィルタ素子は、請求項１記載のフィルタ素子において、前記積層体は、第１の帯状絶縁体上に配設された第１の接地用帯状導電体と第２の帯状絶縁体上に配設された第１の信号用帯状導電体とを当該各帯状絶縁体のうちの一方を介して重ねて構成されて当該積層体における一端側の半分を形成する第１の積層体と、第３の帯状絶縁体上に配設された第２の接地用帯状導電体と第４の帯状絶縁体上に配設された第２の信号用帯状導電体とを当該各帯状絶縁体のうちの一方を介して重ねて構成されて当該積層体における他端側の半分を形成する第２の積層体と、前記第１の積層体および前記第２の積層体における前記各信号用帯状導電体同士および前記各接地用帯状導電体同士をそれぞれ接続する信号接続用導電体および接地接続用導電体とを備え、前記第１の積層体および前記第２の積層体は、互いに平行でかつ長さ方向にずれた状態で当該第１の積層体における一の方向側の端部と当該第２の積層体における当該一の方向とは逆方向側の端部とが近接した状態に並設されている。
【０００７】
また、請求項３記載のフィルタ素子は、請求項１記載のフィルタ素子において、前記各帯状絶縁体は、互いに平行な状態で並設された一対の副帯状絶縁体同士が一方の端部側において連結されて構成され、前記信号用帯状導電体は、前記各帯状絶縁体のうちの一方の帯状絶縁体における前記一対の副帯状絶縁体上に配設され、前記接地用帯状導電体は、前記各帯状絶縁体のうちの他方の帯状絶縁体における前記一対の副帯状絶縁体上に配設され、前記一方の帯状絶縁体における前記一対の副帯状絶縁体の前記一方の端部側には、当該一対の副帯状絶縁体上に配設されている前記各信号用帯状導電体の一方の端部同士を接続する信号接続用導電体が配設され、前記他方の帯状絶縁体における前記一対の副帯状絶縁体の前記一方の端部側には、当該一対の副帯状絶縁体上に配設されている前記各接地用帯状導電体の一方の端部同士を接続する接地接続用導電体が配設されている。
【発明の効果】
【０００８】
請求項１記載のフィルタ素子によれば、接地用帯状導電体と信号用帯状導電体とを帯状絶縁体を介して重ねて構成した積層体における一端側の半分を積層体における他端側の半分との境界部位を中心として所定方向に巻回して筒状に形成された第１のコイル部と、積層体における他端側の半分を境界部位を中心として所定方向とは逆方向に巻回して筒状に形成された第２のコイル部とを備えたことにより、十分な耐圧の帯状絶縁体を用い、かつ接地用帯状導電体および信号用帯状導電体を各帯状絶縁体上に配設する際に各帯状絶縁体の端縁と接地用帯状導電体および信号用帯状導電体との間の距離を十分な長さに設定することで、各コイル部（つまりフィルタ素子全体）の耐圧（絶縁耐圧）を十分に高めることができる。したがって、従来のフィルタ素子と同等の効果を奏しつつ高耐圧なコモンモード用のフィルタ素子を実現することができる。
【０００９】
また、請求項２記載のフィルタ素子によれば、互いに平行でかつ長さ方向にずれた状態で並設された第１の積層体および第２の積層体と、両積層体における各信号用帯状導電体同士および各接地用帯状導電体同士をそれぞれ接続する信号接続用導電体および接地接続用導電体とを備えて積層体を構成したことにより、第１の積層体および第２の積層体が予め幅方向にずれているため、第１の積層体および第２の積層体を捻ったり、折り曲げたりすることなく、両者を巻回するだけで第１のコイル部および第２のコイル部を形成することができる。したがって、このフィルタ素子によれば、捻りや折り曲げに起因した応力が積層体に作用することがないため、耐久性を一層向上させることができる。また、第１の積層体および第２の積層体の巻回作業も容易に行うことができる。
【００１０】
また、請求項３記載のフィルタ素子によれば、一方の端部側において連結された一対の副帯状絶縁体で各帯状絶縁体を構成し、一方の帯状絶縁体における各副帯状絶縁体上に信号用帯状導電体をそれぞれ配設すると共に各信号用帯状導電体の一方の端部同士を接続する信号接続用導電体を配設し、他方の帯状絶縁体における各副帯状絶縁体上に接地用帯状導電体をそれぞれ配設すると共に各接地用帯状導電体の一方の端部同士を接続する接地接続用導電体を配設したことにより、各帯状絶縁体をそれぞれ構成する一対の副帯状絶縁体同士が各々の一方の端部側において予め連結されているため、各副帯状絶縁体上に接地用導電体および接地接続用導電体を配設（並設）したり、各副帯状絶縁体上に信号用導電体および信号接続用導電体を配設する作業を容易に行うことができる。このため、フィルタ素子の製造に要する時間を十分に短縮することができる。
【発明を実施するための最良の形態】
【００１１】
以下、添付図面を参照して、本発明に係るフィルタ素子について説明する。
【００１２】
最初に、フィルタ素子１について、図面を参照して説明する。
【００１３】
フィルタ素子１は、図１に示すように、複数本（一例として２本）の入力端子２ａ，２ｂ（以下、特に区別しないときは「入力端子２」ともいう）、入力端子２と同数（２本）の出力端子３ａ，３ｂ（以下、特に区別しないときは「出力端子３」ともいう）、入力端子２と同数（２本）の接地用端子４ａ，４ｂ（以下、特に区別しないときは「接地用端子４」ともいう）、第１のコイル部５（以下、「コイル部５」ともいう）、第２のコイル部６（以下、「コイル部６」ともいう）、および磁性体（一例として柱状（同図では円柱状）の磁性コア）７を備え、分布定数型のノイズフィルタ（低域通過型のコモンモードフィルタ）に構成されている。
【００１４】
コイル部５，６は、例えば、図２に示すように、２つの帯状絶縁体８ａ，８ｂ（以下、特に区別しないときは「帯状絶縁体８」ともいう）、２本の接地用導電体９ａ，９ｂ（本発明における接地用帯状導電体であって、以下、特に区別しないときは「接地用導電体９」ともいう）、および接地用導電体９と同数（２本）の信号用導電体１０ａ，１０ｂ（本発明における信号用帯状導電体であって、以下、特に区別しないときは「信号用導電体１０」ともいう）を備えて構成された積層体１１を巻回してそれぞれ形成されている。
【００１５】
各帯状絶縁体８は、図２に示すように、一例として、誘電性および電気的絶縁性を有する材料を用いて、同じ幅で、同じ長さに形成されている。また、各接地用導電体９は、例えば、同図に示すように、同じ幅（帯状絶縁体８よりも幅狭）で、同じ長さ（帯状絶縁体８よりも短い長さ）に設定されると共に、帯状絶縁体８ａ上において、帯状絶縁体８ａの幅方向に互いに離間して、かつ平行に並設されている。また、各接地用導電体９は、帯状絶縁体８ａの端縁（幅方向の端縁および長さ方向の端縁）から所定距離Ｌ１だけ内側に配設されている。この場合、この所定距離Ｌ１（沿面距離）は、各コイル部５，６（フィルタ素子１）が所望の耐圧を確保し得るように設定されている。また、帯状絶縁体８ｂは、各接地用導電体９を帯状絶縁体８ａとの間で挟み込むようにして帯状絶縁体８ａの上に重ねられている。各信号用導電体１０は、例えば、同じ幅で、同じ長さに設定されると共に、帯状絶縁体８ｂ上において、帯状絶縁体８ｂの幅方向に互いに離間して、かつ平行に並設されている。また、各信号用導電体１０も各接地用導電体９と同様にして、帯状絶縁体８ｂの端縁（幅方向の端縁および長さ方向の端縁）から所定距離Ｌ１だけ内側に配設されている。また、各信号用導電体１０ａ，１０ｂは、一例としてその幅およびその長さが各接地用導電体９と同等に形成されると共に、対応する各接地用導電体９ａ，９ｂと帯状絶縁体８ｂを挟んでそれぞれ対向するようにして配設されている。したがって、積層体１１は、以上のようにして互いに積層された帯状絶縁体８ａ，８ｂ、各接地用導電体９および各信号用導電体１０を備えて構成されている。また、この積層体１１は、例えば、表面の導体パターンがパターンニングされて各接地用導電体９や各信号用導電体１０が形成されたフレキシブル基板を用いて構成することができる。
【００１６】
コイル部５は、図３に示すように、積層体１１をその中心部位Ａで１ターンだけ捻り（または折り曲げ）、この積層体１１の一端側の半分（同図では、一例として中心部位Ａを基準とした左端側の半分）を中心部位Ａを中心として矢印Ｂ方向（図３では反時計方向）に巻回することにより、筒状に形成されている（図１，４参照）。また、コイル部６は、図３に示すように、この積層体１１の他端側の半分（同図では、一例として中心部位Ａを基準とした右端側の半分）を中心部位Ａを中心として矢印Ｃ方向（図３では時計方向）に巻回することにより、コイル部５とほぼ同一径の筒状に形成されている（図１，４参照）。この場合、コイル部６については、図１，４に示すように、コイル部５の側方（図１中では右側、図４中では下方）において、コイル部５，６の軸線がほぼ一致するようにして形成されている。したがって、各コイル部５，６の中心部に形成されている各空隙Ｈ，Ｈは互いに連通した状態にあり、磁性コア７は、コイル部５，６の各空隙Ｈ，Ｈに装着されている。また、上記したように、積層体１１における一端側の半分と他端側の半分とは、積層体１１における中心部位Ａを介して連結されている。したがって、積層体１１における中心部位Ａは、本発明における積層体１１における一端側の半分と他端側の半分との境界部位でもある（以下、境界部位Ａともいう）。
【００１７】
このフィルタ素子１では、帯状絶縁体８ａ上に配設（並設）された接地用導電体９ａ，９ｂと帯状絶縁体８ｂ上に配設（並設）された信号用導電体１０ａ，１０ｂとを帯状絶縁体８ｂを介して重ねて構成した積層体１１における一端側の半分を中心部位（境界部位）Ａを中心として所定方向（一例として反時計方向）に巻回して筒状のコイル部５が形成され、積層体１１における他端側の半分を中心部位（境界部位）Ａを中心としてコイル部５とは逆方向に巻回して筒状のコイル部６が形成されている。このため、このフィルタ素子１によれば、十分な耐圧の帯状絶縁体８を用い、かつ各接地用導電体９および各信号用導電体１０を各帯状絶縁体８ａ，８ｂ上に形成する際に各帯状絶縁体８ａ，８ｂの端縁と各接地用導電体９および各信号用導電体１０との間の所定距離Ｌ１を十分な距離（例えば数ミリ以上）に設定することにより、各コイル部５，６（つまりフィルタ素子１全体）の耐圧（絶縁耐圧）を十分に高めることができる。したがって、従来のフィルタ素子と同等の効果（つまり、２層コイルとして構成したことによる効果）を奏しつつ高耐圧なコモンモード用のフィルタ素子１を実現することができる。
【００１８】
なお、本発明は、上記した構成に限定されない。例えば、上記の構成では、１つの積層体１１を用いているが、２つの積層体２２，２３（本発明における第１の積層体および第２の積層体）が接続されて形成された図５に示す積層体１１Ａを用いて、図７に示すように、２つのコイル部５Ａ，６Ａを備えたフィルタ素子１Ａを構成することもできる。以下、このフィルタ素子１Ａについて説明する。なお、フィルタ素子１と同一の構成については同一の符号を付して重複する説明を省略する。
【００１９】
積層体２２は、図５に示すように、帯状絶縁体（本発明における第１の帯状絶縁体）２４ａと、帯状絶縁体２４ａ上において帯状絶縁体２４ａの幅方向に互いに離間して、かつ平行に並設された接地用導電体（本発明における第１の接地用帯状導電体）２５ａ，２５ｂと、帯状絶縁体（本発明における第２の帯状絶縁体）２４ｂと、帯状絶縁体２４ｂ上において帯状絶縁体２４ｂの幅方向に互いに離間して、かつ平行に並設された信号用導電体（本発明における第１の信号用帯状導電体）２６ａ，２６ｂとを備え、これらがこの順番に積層されて構成されている。他方、積層体２３は、帯状絶縁体（本発明における第３の帯状絶縁体）２７ａと、帯状絶縁体２７ａ上において帯状絶縁体２７ａの幅方向に互いに離間して、かつ平行に並設された接地用導電体（本発明における第２の接地用帯状導電体）２８ａ，２８ｂと、帯状絶縁体（本発明における第４の帯状絶縁体）２７ｂと、帯状絶縁体２７ｂ上において帯状絶縁体２７ｂの幅方向に互いに離間して、かつ平行に並設された信号用導電体（本発明における第２の信号用帯状導電体）２９ａ，２９ｂとを備え、これらがこの順番に積層されて構成されている。また、各帯状絶縁体２４ａ，２４ｂ（以下、特に区別しないときは「帯状絶縁体２４」ともいう）は、例えば、同じ幅で、同じ長さに設定されている。また、各帯状絶縁体２７ａ，２７ｂ（以下、特に区別しないときは「帯状絶縁体２７」ともいう）は、例えば、各帯状絶縁体２４と同じ幅で、同じ長さにそれぞれ設定されている。また、積層体１１Ａでも、積層体１１と同様にして、各接地用導電体２５，２８から各帯状絶縁体２４ａ，２７ａの端縁までの距離、および各信号用導電体２６，２９から各帯状絶縁体２４ｂ，２７ｂの端縁までの距離がそれぞれ所定距離Ｌ１となるように設定されている。
【００２０】
また、各積層体２２，２３は、図５に示すように、互いに平行でかつ長さ方向にずれた状態で一方の積層体２２における一の方向側（同図中の右方向側）の端部と他方の積層体２３におけるこの一の方向とは逆方向側（同図中の左方向側）の端部とが近接した状態に並設されている。また、各積層体２２，２３は、図６に示すように、帯状絶縁体２４ａおよび帯状絶縁体２７ａにおける近接する端部間に掛け渡された一対の接地接続用導電体３０ａ，３０ｂ（以下、特に区別しないときは「接地接続用導電体３０」ともいう）により、接地用導電体２５ａおよび接地用導電体２８ａが電気的に接続されると共に接地用導電体２５ｂおよび接地用導電体２８ｂが電気的に接続され、かつ帯状絶縁体２４ｂおよび帯状絶縁体２７ｂにおける近接する端部間に掛け渡された一対の信号接続用導電体３１ａ，３１ｂ（以下、特に区別しないときは「信号接続用導電体３１」ともいう）により、信号用導電体２６ａおよび信号用導電体２９ａが電気的に接続されると共に信号用導電体２６ｂおよび信号用導電体２９ｂが電気的に接続されて互いに連結されている。
【００２１】
コイル部５Ａは、図５に示すように、積層体１１Ａの一端側の半分（つまり積層体２２）を、積層体１１Ａにおける接地接続用導電体３０および信号接続用導電体３１が配設された境界部位Ａ（中心部位Ａ）を中心として矢印Ｂ方向（反時計方向）に巻回することにより、筒状に形成されている（図７参照）。また、コイル部６Ａは、図５に示すように、積層体１１Ａの他端側の半分（つまり積層体２３）を、積層体１１Ａの境界部位Ａを中心として矢印Ｃ方向（時計方向）に巻回することにより、コイル部５Ａとほぼ同一径の筒状に形成されている（図７参照）。この場合、コイル部５Ａ，６Ａについても、コイル部５，６と同様にして、双方の軸線がほぼ一致するように形成されて、磁性コア７はコイル部５Ａ，６Ａの連通する各空隙Ｈ，Ｈ内に装着されている。また、上記したように、積層体１１Ａを構成する各積層体２２，２３は、信号接続用導電体３１等が配設された中心部位Ａにおいて連結されている。したがって、この中心部位Ａは、積層体１１Ａ、つまり各積層体２２，２３の境界部位でもある。
【００２２】
このフィルタ素子１Ａでは、各接地用導電体２５，２８から各帯状絶縁体２４ａ，２７ａの端縁までの距離、および各信号用導電体２６，２９から各帯状絶縁体２４ｂ，２７ｂの端縁までの距離がそれぞれ所定距離Ｌ１となるように設定されている。したがって、フィルタ素子１と同様にして、十分な耐圧を確保することができる結果、フィルタ素子１と同様の効果を奏することができる。さらに、フィルタ素子１Ａでは、積層体１１Ａを構成する各積層体２２，２３が予め幅方向に、各積層体２２，２３の幅と同じ距離だけずらして配設されている。このため、各積層体２２，２３を捻ったり、また折り曲げたりすることなく、巻回するだけで各コイル部５Ａ，６Ａを形成することができる。したがって、このフィルタ素子１Ａによれば、捻りや折り曲げに起因した応力が積層体１１Ａに作用することがないため、耐久性を一層向上させることができる。また、各積層体２２，２３の巻回作業も容易に行うことができる。
【００２３】
なお、上記の構成では、各接地接続用導電体３０と各信号接続用導電体３１とで各積層体２２，２３を連結しているが、各接地接続用導電体３０が配設された各帯状絶縁体２４ａおよび帯状絶縁体２７ａにおける近接する各端部の裏面側、および各信号接続用導電体３１が配設された各帯状絶縁体２４ｂおよび帯状絶縁体２７ｂにおける近接する各端部（例えばその裏面側）に、補強用の帯状絶縁体（図示せず）を接着してフィルタ素子１Ａを作製することもできる。さらに、帯状絶縁体２４ａおよび帯状絶縁体２７ａの近接する端部同士を連結して一体化した帯状絶縁体（図示せず）と、帯状絶縁体２４ｂおよび帯状絶縁体２７ｂの近接する端部同士を連結して一体化した帯状絶縁体（図示せず）とを用いてもフィルタ素子１Ａを作製することができる。これらの構成を採用することにより、各積層体２２，２３によって形成される各コイル部５Ａ，６Ａ同士の連結強度を向上させることができる。また、帯状絶縁体２４ａおよび帯状絶縁体２７ａ、並びに帯状絶縁体２４ｂおよび帯状絶縁体２７ｂを一体化する構成を採用するときには、接地用導電体２５ａ、接地接続用導電体３０ａおよび接地用導電体２８ａと、接地用導電体２５ｂ、接地接続用導電体３０ｂおよび接地用導電体２８ｂと、信号用導電体２６ａ、信号接続用導電体３１ａおよび信号用導電体２９ａと、信号用導電体２６ｂ、信号接続用導電体３１ｂおよび信号用導電体２９ｂとをそれぞれ連続した導電体で形成することもでき、接地接続用導電体３０および信号接続用導電体３１による連結作業を省くことができる分、作業性を向上させることができる。
【００２４】
また、上記のフィルタ素子１では、図１に示すように、帯状絶縁体８ａで各コイル部５，６の外周面を覆い、上記のフィルタ素子１Ａでは、図７に示すように、帯状絶縁体２４ａ，２７ａで各コイル部５Ａ，６Ａの外周面をそれぞれ覆うように構成しているが、２つの積層体２２，２３Ａが図８に示すように接続されて形成された積層体１１Ｂを用いて、図１１に示すように、２つのコイル部５Ａ，６Ｂを備えたフィルタ素子１Ｂを構成することもできる。以下、このフィルタ素子１Ｂについて説明する。なお、フィルタ素子１Ｂは、積層体２３に代えて積層体２３Ａを用いた以外の構成要素はフィルタ素子１Ａと同一のため、相違する積層体２３Ａに関連する構成についてのみ説明し、同一の構成については同一の符号を付して重複する説明を省略する。
【００２５】
積層体２３Ａは、図８に示すように、帯状絶縁体２７ｂと、帯状絶縁体２７ｂ上において帯状絶縁体２７ｂの幅方向に互いに離間して、かつ平行に並設された信号用導電体２９ａ，２９ｂと、帯状絶縁体２７ａと、帯状絶縁体２７ａ上において帯状絶縁体２７ａの幅方向に互いに離間して、かつ平行に並設された接地用導電体２８ａ，２８ｂとを備え、これらがこの順番に積層されて構成されている。
【００２６】
また、各積層体２２，２３Ａは、図８に示すように、各導電体２６ａ，２６ｂ，２８ａ，２８ｂが並設されている面を各帯状絶縁体２４ａ，２７ａの表側としたときに、表裏が逆で、互いに平行でかつ長さ方向（同図中の左右方向）にずれた状態で一方の積層体２２における一の方向側（同図中の右方向側）の端部と他方の積層体２３Ａにおけるこの一の方向とは逆方向側（同図中の左方向側）の端部とが近接した状態に並設されている。また、各積層体２２，２３Ａは、図９，１０に示すように、帯状絶縁体２４ａおよび帯状絶縁体２７ａにおける近接する端部間に掛け渡された一対の接地接続用導電体３０ａ，３０ｂにより、接地用導電体２５ａおよび接地用導電体２８ａが電気的に接続されると共に接地用導電体２５ｂおよび接地用導電体２８ｂが電気的に接続され、かつ帯状絶縁体２４ｂおよび帯状絶縁体２７ｂにおける近接する端部間に掛け渡された一対の信号接続用導電体３１ａ，３１ｂにより、信号用導電体２６ａおよび信号用導電体２９ａが電気的に接続されると共に信号用導電体２６ｂおよび信号用導電体２９ｂが電気的に接続されて互いに連結されている。
【００２７】
コイル部５Ａは、図８に示すように、積層体１１Ｂの一端側の半分（つまり積層体２２）を、積層体１１Ｂにおける接地接続用導電体３０および信号接続用導電体３１が配設された境界部位（中心部位Ａ）を中心に矢印Ｂ方向（反時計方向）に巻回することにより、筒状に形成されている（図１１参照）。また、コイル部６Ｂは、図８に示すように、積層体１１Ｂの他端側の半分（つまり積層体２３Ａ）を、積層体１１Ｂの境界部位（中心部位）Ａを中心に矢印Ｃ方向（時計方向）に巻回することにより、コイル部５Ａとほぼ同一径の筒状に形成されている（図１１参照）。このため、コイル部６Ｂは、コイル部５Ａとは異なり、外周面に接地用導電体２８ａ，２８ｂが露出した構成となっている。また、コイル部５Ａ，６Ｂについても、コイル部５Ａ，６Ａと同様にして、双方の軸線がほぼ一致するように形成されて、磁性コア７は、コイル部５Ａ，６Ｂの連通する各空隙Ｈ，Ｈ内に装着されている。また、上記したように、積層体１１Ｂを構成する各積層体２２，２３Ａは、信号接続用導電体３１等が配設された中心部位Ａにおいて連結されている。したがって、この中心部位Ａは、積層体１１Ｂ、つまり各積層体２２，２３の境界部位でもある。
【００２８】
このフィルタ素子１Ｂは、積層体２３に代えて積層体２３Ａを用いると共に、各積層体２２，２３Ａを表裏を逆に接続した以外は、フィルタ素子１Ａと同一の構成を備えているため、十分な耐圧を確保することができると共に、各積層体２２，２３を捻ったり、また折り曲げたりすることなく、巻回するだけで各コイル部５Ａ，６Ｂを形成することができる結果、耐久性を一層向上させることができる。また、各積層体２２，２３Ａの巻回作業も容易に行うことができる。また、図１１では、各接地用導電体２５における積層体２２の巻き終わり端部側に位置する部位を接地部位として接地用端子４ａ，４ｂを取り付けているが、各入力端子２および各出力端子３の取付け位置を逆にすることにより、各接地用導電体２８における積層体２３Ａの巻き終わり端部側に位置する部位を接地部位とすることもできる。この構成によれば、各接地用導電体２８がコイル部６Ｂの外周面に露出しているため、接地用端子４ａ，４ｂを用いることなく各接地用導電体２８を接地することもできる。
【００２９】
なお、上記のフィルタ素子１Ｂでは、図８に示すように、２つの積層体２２，２３Ａを信号接続用導電体３１等によって連結して構成した積層体１１Ｂを用いているが、図１２に示す積層体１１Ｃを用いて、図１４に示すように、各コイル部５Ｃ，６Ｃを備えたフィルタ素子１Ｃを構成することもできる。以下、フィルタ素子１Ｃの構成について、フィルタ素子１Ａの構成を基にして、特徴部分である積層体１１Ｃの構造を中心に説明する。なお、フィルタ素子１Ａと同一の構成については同一の符号を付して重複する説明を省略する。
【００３０】
積層体１１Ｃは、図１２に示すように、絶縁体４１、絶縁体４２、一対の接地用導電体２５、一対の接地用導電体２８、一対の信号用導電体２６、一対の信号用導電体２９、一対の接地接続用導電体３０および一対の信号接続用導電体３１を備えて構成されている。この場合、絶縁体４１は、積層体１１Ａにおける一対の帯状絶縁体２４ａ，２７ａ（本発明における一対の副帯状絶縁体）同士が互いに並設された状態（長さ方向にずらさない状態）で一方の端部側（右端側）において一体的に連結された構成と同一の構成を備えている。また、絶縁体４２は、積層体１１Ａにおける一対の帯状絶縁体２４ｂ，２７ｂ（本発明における一対の副帯状絶縁体）同士が一方の端部側（右端側）において一体的に連結された構成と同一の構成を備えている。また、一対の接地用導電体２５は、積層体１１Ａにおける帯状絶縁体２４ａに対応する絶縁体４１の部位（以下、「副帯状絶縁体４１ａ」ともいう）上に、積層体１１Ａと同様にして並設されている。また、一対の接地用導電体２８は、積層体１１Ａにおける帯状絶縁体２７ａに対応する絶縁体４１の部位（以下、「副帯状絶縁体４１ｂ」ともいう）上に、積層体１１Ａと同様にして並設されている。また、一対の信号用導電体２６は、積層体１１Ａにおける帯状絶縁体２４ｂに対応する絶縁体４２の部位（以下、「副帯状絶縁体４２ａ」ともいう）上に、積層体１１Ａと同様にして並設されている。また、一対の信号用導電体２９は、積層体１１Ａにおける帯状絶縁体２７ｂに対応する絶縁体４２の部位（以下、「副帯状絶縁体４２ｂ」ともいう）上に、積層体１１Ａと同様にして並設されている。
【００３１】
また、副帯状絶縁体４１ａ上に配設された接地用導電体２５ａ，２５ｂと、副帯状絶縁体４１ｂ上に配設された接地用導電体２８ａ，２８ｂとは、図１２に示すように、各副帯状絶縁体４１ａ，４１ｂの各一方の端部（連結部位）間に掛け渡された接地接続用導電体３０ａ，３０ｂによって互いの一端部同士が電気的に接続されている。他方、副帯状絶縁体４２ａ上に配設された信号用導電体２６ａ，２６ｂと、副帯状絶縁体４２ｂ上に配設された信号用導電体２９ａ，２９ｂとは、同図に示すように、各副帯状絶縁体４２ａ，４２ｂの各一方の端部（連結部位）間に掛け渡された信号接続用導電体３１ａ，３１ｂによって互いの一端部同士が電気的に接続されている。積層体１１Ｃは、図１２において矢印で示すようにして、接地用導電体２５等が並設された絶縁体４１と、信号用導電体２６等が並設された絶縁体４２とが、絶縁体４１と絶縁体４２との間で各接地用導電体２５，２８および各接地接続用導電体３０を挟み込むようにして積層されて構成されている。
【００３２】
コイル部５Ｃは、図１３に示すように、積層体１１Ｃの一端側の半分（つまり副帯状絶縁体４１ａ，４２ａを備えた部位）を、積層体１１Ｃにおける接地接続用導電体３０および信号接続用導電体３１が配設された部位（各副帯状絶縁体４１ａ，４１ｂ，４２ａ，４２ｂの一方の端部、つまり境界部位Ａ）を中心に矢印Ｂ方向（反時計方向）に巻回することにより、筒状に形成されている（図１４参照）。また、コイル部６Ｃは、図１３に示すように、積層体１１Ｃの他端側の半分（つまり副帯状絶縁体４１ｂ，４２ｂを備えた部位）を、積層体１１Ｃの境界部位Ａを中心に矢印Ｃ方向（時計方向）に巻回することにより、筒状に形成されている（図１４参照）。この場合、コイル部５Ｃ，６Ｃについても、コイル部５Ａ，６Ａと同様にして、双方の軸線がほぼ一致するように形成されて、磁性コア７はコイル部５Ｃ，６Ｃの連通する各空隙Ｈ，Ｈ内に装着されている。
【００３３】
このフィルタ素子１Ｃでは、コイル部５Ｃはフィルタ素子１Ａのコイル部５Ａとほぼ同じ構成であるが、コイル部６Ｃは信号用導電体２９ａ，２９ｂが外周面に露出した構成となる。このため、この点においてフィルタ素子１Ａのコイル部６Ａと相違する。一方、このフィルタ素子１Ｃにおいても、各接地用導電体２５，２８から絶縁体４１の端縁までの距離、および各信号用導電体２６，２９から絶縁体４２の端縁までの距離がそれぞれ所定距離Ｌ１となるように設定されている。したがって、フィルタ素子１Ａと同様にして、十分な耐圧を確保することができる結果、フィルタ素子１Ａと同様の効果を奏することができる。また、フィルタ素子１Ａと同様にして、積層体１１Ｃの一端側の半分（副帯状絶縁体４１ａ，４２ａを備えた部位）と、積層体１１Ｃの他端側の半分（副帯状絶縁体４１ｂ，４２ｂを備えた部位）とが、副帯状絶縁体４１ａ等の幅方向に対して、副帯状絶縁体４１ａ等の幅と同じ距離だけずらして配設されている。このため、積層体１１Ｃを捻ったりすることなく、積層体１１Ｃの一端側の半分と、積層体１１Ｃの他端側の半分とをそれぞれ巻回して各コイル部５Ｃ，６Ｃを形成することができるため、このフィルタ素子１Ｃも十分な耐久性を備えている。さらに、このフィルタ素子１Ｃでは、絶縁体４１を構成する副帯状絶縁体４１ａ，４１ｂが予め連結され、また絶縁体４２を構成する副帯状絶縁体４２ａ，４２ｂが予め連結されているため、各副帯状絶縁体４１ａ，４１ｂ上に接地用導電体２５，２８および接地接続用導電体３０を並設する作業を容易に行うことができる。また、同様にして、絶縁体４２を構成する副帯状絶縁体４２ａ，４２ｂが予め連結されているため、各副帯状絶縁体４２ａ，４２ｂ上に信号用導電体２６，２９および信号接続用導電体３１を並設する作業を容易に行うことができる。このため、フィルタ素子１Ｃの製造に要する時間を十分に短縮することができる。
【００３４】
なお、各フィルタ素子１，１Ａ，１Ｂ，１Ｃを単体で用いる例について上記したが、これに限定されない。例えば、図１５に示すように、各々の空隙Ｈが連通した状態で上記のフィルタ素子１を複数個並設すると共に１つの磁性コア７を各空隙Ｈに装着して、図示しない接続線を用いて各フィルタ素子１を直列に接続して用いることもできる。これにより、フィルタ素子１を単体で用いるのと比較して、コモンモードノイズを一層大きく減衰させることができる。なお、図示はしないが、他のフィルタ素子１Ａ，１Ｂ，１Ｃについてもフィルタ素子１と同様にして複数個を直列に接続することにより、コモンモードノイズを一層大きく減衰させることができる。
【００３５】
また、上記の各フィルタ素子１，１Ａ，１Ｂ，１Ｃでは、一対の信号用導電体（例えばフィルタ素子１では信号用導電体１０ａ，１０ｂ）を用いることにより、各フィルタ素子１，１Ａ，１Ｂ，１Ｃをコモンモード用のノイズフィルタに構成しているが、いずれか一方の信号用導電体のみを用いることにより、ノーマルモード用のノイズフィルタに構成することができる。例えば、フィルタ素子１では、信号用導電体１０ｂを省いて、信号用導電体１０ａのみを用いることにより、ノーマルモード用のノイズフィルタに構成することができる。また、フィルタ素子１Ａでは、信号用導電体２６ｂ、信号接続用導電体３１ｂおよび信号用導電体２９ｂを省いて、信号用導電体２６ａ、信号接続用導電体３１ａおよび信号用導電体２９ａのみを用いることにより、ノーマルモード用のノイズフィルタに構成することができる。また、各フィルタ素子１Ｂ，１Ｃについても、フィルタ素子１Ａと同様に構成することにより、ノーマルモード用のノイズフィルタに構成することができる。なお、各フィルタ素子１，１Ａ，１Ｂ，１Ｃを、上記したようにノーマルモード用のノイズフィルタに構成する場合、省いた信号用導体に対向する接地用導電体については、省くこともできるし、そのまま残しておくこともできる。
【図面の簡単な説明】
【００３６】
【図１】フィルタ素子１の構成を示す斜視図である。
【図２】積層体１１の構成を示す斜視図である。
【図３】積層体１１を中心部位Ａで１ターンだけ捻った状態の斜視図である。
【図４】各コイル部５，６を形成する方法を説明するための説明図である。
【図５】積層体１１Ａの構成を示す斜視図である。
【図６】図５における接地接続用導電体３０および信号接続用導電体３１を配設した部位の構造を説明するための要部拡大図である。
【図７】フィルタ素子１Ａの構成を示す斜視図である。
【図８】積層体１１Ｂの構成を示す斜視図である。
【図９】図８のＸ−Ｘ線に沿った断面構造を説明するための模式図である。
【図１０】図８のＹ−Ｙ線に沿った断面構造を説明するための模式図である。
【図１１】フィルタ素子１Ｂの構成を示す斜視図である。
【図１２】積層体１１Ｃの構成を示す斜視図である。
【図１３】積層体１１Ｃの他端側の半分を、図１２に示す状態から、積層体１１Ｃの中心部位Ａを中心に矢印Ｃ方向（時計方向）に１８０°だけ巻回した状態の斜視図である。
【図１４】フィルタ素子１Ｃの構成を示す斜視図である。
【図１５】フィルタ素子１を複数（一例として３個）直列に接続した状態の斜視図である。
【符号の説明】
【００３７】
１，１Ａ〜１Ｃ  フィルタ素子
５，５Ａ，５Ｃ，６，６Ａ，６Ｂ，６Ｃ  コイル部
１，１Ａ〜１Ｃ  フィルタ素子
５，５Ａ，５Ｃ，６，６Ａ，６Ｂ，６Ｃ  コイル部
８，８ａ，８ｂ，２４ａ，２４ｂ，２７ａ，２７ｂ  帯状絶縁体
９，９ａ，９ｂ，２５ａ，２５ｂ，２８ａ，２８ｂ  接地用導電体
１０ａ，１０ｂ，２６ａ，２６ｂ，２９ａ，２９ｂ  信号用導電体
１１，１１Ａ，１１Ｂ，１１Ｃ，２２，２３，２３Ａ  積層体
３０ａ，３０ｂ  接地接続用導電体
３１ａ，３１ｂ  信号接続用導電体
４１，４２  絶縁体
４１ａ，４１ｂ，４２ａ，４２ｂ  副帯状絶縁体
Ａ  中心部位（境界部位）
Ｂ，Ｃ  矢印
【図１】
2007067982.tif 000003
【図２】
2007067982.tif 000004
【図３】
2007067982.tif 000005
【図４】
2007067982.tif 000006
【図５】
2007067982.tif 000007
【図６】
2007067982.tif 000008
【図７】
2007067982.tif 000009
【図８】
2007067982.tif 000010
【図９】
2007067982.tif 000011
【図１０】
2007067982.tif 000012
【図１１】
2007067982.tif 000013
【図１２】
2007067982.tif 000014
【図１３】
2007067982.tif 000015
【図１４】
2007067982.tif 000016
【図１５】
2007067982.tif 000017